(57)【要約】【課題】  出金取引時に紙幣を取り出す際、後方にいる第３者に紙幣の金種等を見られないようにし、安全性を向上させる。【解決手段】  利用客が入力した金額分の紙幣を紙幣収納庫９から繰り出して入出金口４に搬送し集積し、その集積した出金紙幣を利用客に支払う自動取引装置において、遮蔽紙を収納した遮蔽紙収納庫１１を設け、出金取引時に該遮蔽紙収納庫１１から遮蔽紙を繰り出した紙幣と共に入出金口４に集積することにより、紙幣を遮蔽紙により挟んで顧客に支払うようにした。【選択図】        図１
2005222499.tif 000002
【特許請求の範囲】
【請求項１】
利用客が入力した金額分の紙幣を紙幣収納庫から繰り出して出金口に搬送し集積し、その集積した出金紙幣を利用客に支払う自動取引装置において、
遮蔽紙を収納した遮蔽紙収納庫を設け、
出金取引時に該遮蔽紙収納庫から遮蔽紙を繰り出した紙幣と共に出金口に集積することで、紙幣を遮蔽紙により挟んで顧客に支払うことを特徴とする自動取引装置。
【請求項２】
請求項１記載の自動取引装置において、
出金金額の基準値を設定し、この基準値を超える金額の出金紙幣を支払う場合、その紙幣を遮蔽紙で挟むことを特徴とする自動取引装置。
【請求項３】
請求項２記載の自動取引装置において、
出金金額の基準値を超える金額を出金する場合、紙幣を遮蔽紙で挟むか否かを選択させる選択画面を顧客操作表示部に表示し、遮蔽紙で挟むことを顧客が選択した場合、出金紙幣について遮蔽紙で挟むことを特徴とする自動取引装置。
【発明の詳細な説明】
【技術分野】
【０００１】
本発明は、金融機関の無人化コーナー等に設置され、顧客の操作により取引を実行する自動取引装置に関するものである。
【背景技術】
【０００２】
従来のこの種の一般的な自動取引装置における出金取引は、顧客が入力した金種及び枚数分の紙幣を紙幣収納庫から繰り出し、鑑別部に搬送して、金種等の鑑別、及び機種ごとの計数を行い、そして、計数後の紙幣を出金口に搬送して集積し、顧客が入力した金種及び枚数分の紙幣が出金口に集積されると、この出金口に設けられているシャッターを開いて紙幣を顧客に支払うものとなっている（例えば、特許文献１参照。）。
【特許文献１】特開平２００３−６７８０８号公報（段落「００１９」〜段落「００２４」、図２）。
【発明の開示】
【発明が解決しようとする課題】
【０００３】
しかしながら、上述した従来の技術においては、出金取引の際に紙幣はむき出しのまま顧客に支払われるため、後方にいる第３者に紙幣の金種等を見られやすく、安全性が高いとはいえないという問題がある。
このような問題に対処するため、装置の操作面に後方確認用のミラーを設け、顧客が紙幣を取り出す際に前記ミラーで後方に人がいるかどうかを確認し、安全性を確かめた上で紙幣を取り出すようにものが提案されているが、安全確認に時間がかかるので、１取引にかかる時間がその分長くなり、装置の運用効率を低下させるという問題がある。
【０００４】
本発明は、このような問題を解決することを目的とする。
【課題を解決するための手段】
【０００５】
そのため、本発明は、利用客が入力した金額分の紙幣を紙幣収納庫から繰り出して出金口に搬送し集積し、その集積した出金紙幣を利用客に支払う自動取引装置において、
遮蔽紙を収納した遮蔽紙収納庫を設け、出金取引時に該遮蔽紙収納庫から遮蔽紙を繰り出した紙幣と共に出金口に集積することで、紙幣を遮蔽紙により挟んで顧客に支払うことを特徴とする。
【発明の効果】
【０００６】
このようにした本発明は、出金紙幣を遮蔽紙で挟んで利用客に支払うため、後方にいる第３者に紙幣の金種等を見られることがなくなり、安全性が向上するという効果が得られる。
また、後方に人がいるかどうかを確認し、安全性を確かめた上で紙幣を取り出すという手間も省け、安全確認のための時間を要することもなくなるので、１取引にかかる時間が長くなることもなくなり、装置の運用効率の低下を防止することが可能になるという効果もが得られる。
【発明を実施するための最良の形態】
【０００７】
以下、図面を参照して本発明による自動取引装置の最良の形態について説明する。
【実施例】
【０００８】
図１は本発明による自動取引装置の実施の形態の内部構成を示す概略側面図で、入出金機の構成を示している。図２は実施の形態の外観を示す斜視図、図３は紙幣の出金状態を示す斜視図である。
まず、図２について説明すると、図２において１は装置の筐体で、この筐体１は正面上部に略Ｌ字形の接客部を有し、その立面には、通帳挿入排出口２とカード挿入排出口３が設けられ、また接客部の水平面（または水平に近い傾斜面）１ｂには、奥側に紙幣入出金口４と硬貨入出金口５が、手前側に顧客操作表示部６が設けられている。
【０００９】
この顧客操作表示部６は、表示面を上に向けたＣＲＴディスプレイまたは液晶ディスプレイ等による表示部と、この表示部上に配置した入力手段としてのタッチパネルとを有し、表示部に顧客の操作を誘導するメッセージを配した画面や各種の入力キーを表示し、その入力キーをタッチパネル上から指で押下することにより、入力キーに定義された情報を入力できるものとなっていて、入力された情報の表示等も行うようになっている。
【００１０】
尚、筐体１内には前記通帳挿入排出口２、カード挿入排出口３、紙幣入出金口４、及び硬貨入出金口５に対応して、通帳記帳機、カードリーダプリンタ、及び硬貨入出金機が設けられているが、これらについては本発明とは直接関係がないので、その説明を省略する。
次に、紙幣入出金機について図１を参照して説明する。
【００１１】
図１において７は前記紙幣入出金口４に設けられた開閉可能なシャッター、８は入出金紙幣の真偽金種を正損等の鑑別及び金種ごとの紙幣の計数を行う鑑別部、９は金種別に紙幣を収納する複数の紙幣収納庫、１０は各紙幣収納庫９から繰り出された出金用の紙幣のうち鑑別部８により金種不明等によるリジェクト券と鑑別された紙幣を収納するリジェクト券収納庫、１１は本発明で用いる遮蔽紙(遮蔽シート)を収納した遮蔽紙収納庫、１２はこれら紙幣入出金口６と鑑別部５と各収納庫９〜１１を結んで紙幣及び遮蔽紙を搬送する搬送路、１３は自動取引装置全体を制御する制御部で、この制御部１３は図示しないＲＯＭ等に格納されたプログラムに基づいて各種の取引を実行する機能を有している。
【００１２】
ここで、紙幣入出金口４には、入金取引時に顧客が一括して投入した入金紙幣を一枚分離して繰り出す繰り出し手段と、出金取引時に鑑別部８を経た支払い紙幣を紙幣入出金口４に送り込んで立位状態に集積させる集積手段を備えている。
また、紙幣収納庫９は、ここでは３個設けているが、この数に限定されるものではなく、収納金種も１金種に１個とする必要はなく、例えば取引量の覆い万円紙幣を２個の紙幣収納庫９に収納し、千円紙幣を１個の紙幣収納庫に収納する等、任意の運用が可能である。
【００１３】
各紙幣収納庫９の上部には、入金取引時に入金用の紙幣を金種別に一時集積する一時集積部が備えられている、本発明とは直接関係がないのでその説明は省略する。
尚、本発明で用いる遮蔽紙は一番形状の大きい１万円紙幣と同等もしくはそれよりやや大きい程度とすることが望ましく、この遮蔽紙としては普通紙を用いることができる。
次に、上述した構成の作用として集金取引の動作について説明する。
【００１４】
まず、顧客が顧客操作表示部６に表示された取引選択画面により出金取引を選択し、続いて顧客操作表示部６に表示されるカード挿入を促す画面に従ってカードを挿入すると、カード読み取り部によりカードの磁気ストライプから、口座番号等の顧客情報が読み取られ、図示しないメモリに一時記憶される。
次に顧客操作表示部６に表示される暗証入力を促す画面に従って顧客が暗証番号を入力し、更に希望する金種及び金種毎の枚数を入力すると、制御部１３は入力された金種、枚数に基づく金額と暗証番号及び前記メモリに記憶した顧客情報をホストコンピュータに送信して、取引可能か否かの返信を待つ。
【００１５】
ホストコンピュータから取引可能の返信が制御部１３に送られてくると、まず遮蔽紙収納庫１１から遮蔽紙が１枚繰り出される。
繰り出された遮蔽紙は搬送路１２により搬送され、鑑別部８を通過して図示しない集積手段により入出金口４に立位状態に送り込まれる。
続いて前記顧客により入力された金種及び枚数の紙幣が該当する紙幣収納庫９から図示しない繰り出し手段により１枚ずつ繰り出されて、搬送路１２により順次鑑別部８に搬送され、この鑑別部１２により金種等の鑑別と、金種毎の計数が行われる。
ここで、鑑別部８により金種不明等によるリジェクト券と鑑別された紙幣は搬送路１２によりリジェクト券収納庫１０に送られ、該リジェクト券収納庫１０に収納される。
鑑別部８で金種が確定された正常な紙幣は計数された後、搬送路１２に入出金口４に搬送され、図示しない集積手段により入出金口４に送り込まれて、立位状態に集積される。
【００１６】
そして、顧客により入力された金種、枚数の紙幣がすべて入出金口４に集積されると、再び遮蔽紙収納庫１１から遮蔽紙が１枚繰り出され、繰り出された遮蔽紙は搬送路１２により搬送されて鑑別部８を通過した後、図示しない集積手段により入出金口４に立位状態に送り込まれる。
その後入出金口２ｂに設けられているシャッターが開き、顧客により紙幣が取り出されるが、このとき紙幣は図３に示したように前後２枚の遮蔽紙で挟まれた状態にあるので、後方にいる第３者に紙幣の金種等を見られることなく紙幣を取り出すことができ、取り出した後、シャッターが閉じることで出金処理が終了する。
【００１７】
以上説明した実施の形態によれば、出金紙幣を遮蔽紙で挟んで利用客に支払うため、後方にいる第３者に紙幣の金種等を見られることがなくなり、安全性が向上する。
また、後方に人がいるかどうかを確認し、安全性を確かめた上で紙幣を取り出すという手間も省け、安全確認のための時間を要することもなくなるの、１取引にかかる時間が長くなることもなくなり、装置の運用効率の低下を防止することが可能となる。
【００１８】
また、遮蔽紙としては普通紙を用いることができるので、低コストで実現可能である。
尚、本発明は上述した実施の形態に限られるものではなく、種々の利用形態が考えられる。
例えば、出金金額にかかわらず、出金紙幣を必ず遮蔽紙で挟むのではなく、金額の基準値を設定し、この基準値を超える金額の出金紙幣について遮蔽紙で挟んで利用客に支払うようにしてもよく、また、基準値を超える金額の出金について、紙幣を遮蔽紙で挟むか否かを選択させる選択画面を顧客操作表示部６に表示し、遮蔽紙で挟むことを顧客が選択した場合、出金紙幣について遮蔽紙で挟んで利用客に支払うようにしてもよい。
【００１９】
また、顧客のカードにＶＩＰ情報が記録されている場合、このＶＩＰ情報が記録されているカードを用いて出金取引を行う利用客に対してのみ出金紙幣を遮蔽紙で挟んで支払うことも可能である。
更に、上述した実施の形態では、遮蔽紙を収納した遮蔽紙収納庫１１を設けた構成としているが、自動取引装置の中にはチェックシートを収納したチェックシート収納庫を有し、紙幣ジャム等の障害を復旧させた後、チェックシート収納庫からチェックシートを繰り出して搬送路を走行させることにより、搬送路中の残留紙幣の有無を検出する機能を持つものがあるので、このような自動取引装置においてはチェックシートを利用し、前記と同様に出金紙幣をチェックシートで挟んで利用客に支払うように制御することもできる。
【図面の簡単な説明】
【００２０】
【図１】本発明による自動取引装置の実施の形態の内部構成を示す概略側面図
【図２】実施の形態の外観を示す斜視図紙幣の出金状態を示す斜視図
【図３】紙幣の出金状態を示す斜視図
【符号の説明】
【００２１】
２  入出金口
６  顧客操作表示部
７  シャッター
８  鑑別部
９  紙幣収納庫
１１  遮蔽紙収納庫
１２  搬送路
１３  制御部
【図１】
2005222499.tif 000003
【図２】
2005222499.tif 000004
【図３】
2005222499.tif 000005